(57)【要約】【課題】Ｇ画素に対してＲ画素及びＢ画素を水平方向及び垂直方向にそれぞれ画素ピッチの１／２だけ画素ずらししてＲ、Ｇ、Ｂの３つの固体撮像素子をレジストレーション調整する際に、斜め方向のずれ量を正確に判定可能にする。【解決手段】水平垂直に対して４５度傾斜した白色又は黒色の線状パターン４２と、この線状パーン４２と直交し、所定の画素ずらし量に対応した間隔だけ離間した２本の平行な緑色の線状パターン４４Ｇ，マゼンタ色の線状パターン４４Ｍとを有するレジストレーションチャート４０を使用する。このレジストレーションチャート４０を撮影して得られるＲ、Ｇ、Ｂ画像は、正確にレジストレーション調整されると、Ｒ画像とＧ画像の差分画像、及びＢ画像とＲ画像との差分画像からは線状パターンが消え、また、Ｒ、Ｇ、Ｂ画像の加算画像の線状パターンは色づくことなく白色又は黒色になる。【選択図】  図４
2007096693.tif 000002
【特許請求の範囲】
【請求項１】
撮影レンズからの被写体光を赤（Ｒ）、緑（Ｇ）、青（Ｂ）の波長域成分に分解する色分解プリズムのＲ、Ｇ、Ｂの色別の出射端にそれぞれＲ、Ｇ、Ｂ用の固体撮像素子を取り付ける方法であって、Ｇ用の固体撮像素子に対してＲ及びＢ用の固体撮像素子を水平方向及び垂直方向にそれぞれ１／２の画素ピッチだけ画素ずらしして取り付ける固体撮像素子の取付方法において、
水平垂直に対して４５度傾斜した第１の線状パターンと、前記第１の線状パーンと直交し、前記画素ずらし量に対応した間隔だけ離間した２本の平行な第２の線状パターンとを有するレジストレーションチャートを使用し、
前記レジストレーションチャートを撮影し、
前記撮影時に前記Ｒ用の固体撮像素子から得られるＲの画像と、前記Ｇ用の固体撮像素子から得られるＧの画像と、前記Ｂ用の固体撮像素子から得られるＢの画像とに基づいて前記Ｇ用の固体撮像素子を基準にして前記Ｒ用の固体撮像素子及びＢ用の固体撮像素子のレジストレーション調整を行い、
前記レジストレーション調整後に前記色分解プリズムのＲ、Ｇ、Ｂの色別の出射端にそれぞれＲ、Ｇ、Ｂ用の固体撮像素子を取り付けることを特徴とする固体撮像素子の取付方法。
【請求項２】
前記レジストレーションチャートの第１の線状パターンは、黒色又は白色であり、前記第２の線状パターンの２本の平行な線状パターンはそれぞれ緑色とマゼンタ色であり、前記レジストレーション調整は、前記Ｒの画像と前記Ｇの画像との差分画像を求め、この差分画像から前記第１の線状パターン及び第２の線状パターンが同時に消えるように前記Ｇ用の固体撮像素子を基準にして前記Ｒ用の固体撮像素子のレジストレーション調整を行い、前記Ｂの画像と前記Ｇの画像との差分画像を求め、この差分画像から前記第１の線状パターン及び第２の線状パターンが同時に消えるように前記Ｇ用の固体撮像素子を基準にして前記Ｂ用の固体撮像素子のレジストレーション調整を行うことを特徴とする請求項１に記載の固体撮像素子の取付方法。
【請求項３】
前記レジストレーションチャートの第１の線状パターンは、黒色又は白色であり、前記第２の線状パターンの２本の平行な線状パターンはそれぞれ緑色とマゼンタ色であり、前記レジストレーション調整は、前記Ｒの画像と前記Ｇの画像と前記Ｂの画像とを加算し、このＲ、Ｇ、Ｂの加算画像上の前記第１の線状パターン及び第２の線状パターンが色づくことなく白色又は黒色となるように前記Ｇ用の固体撮像素子を基準にして前記Ｒ用の固体撮像素子及び前記Ｂ用の固体撮像素子のレジストレーション調整を行うことを特徴とする請求項１に記載の固体撮像素子の取付方法。
【請求項４】
請求項１乃至３のいずれかに記載の固体撮像素子の取付方法に使用されるレジストレーションチャート。
【請求項５】
前記２本の平行な第２の線状パターンの画素ずらし量に対応した間隔は、前記固体撮像素子の水平方向及び垂直方向の画素ピッチをＰ，前記レジストレーションチャートの撮影時の像倍率をｍとすると、次式、
間隔＝√２・Ｐ／２ｍ
で表されることを特徴とする請求項４に記載のレジストレーションチャート。
【発明の詳細な説明】
【技術分野】
【０００１】
本発明は固体撮像素子の取付方法及びレジストレーションチャートに係り、特に色分解プリズムの出射端に固体撮像素子を取り付ける技術に関する。
【背景技術】
【０００２】
従来から撮影レンズを介して入射する被写体光を色分解プリズムによって赤（Ｒ）成分、緑（Ｇ）成分、青（Ｂ）成分に分解し、これらをＣＣＤ等の３つの固体撮像素子の各受光面に導き、Ｒ，Ｇ，Ｂの各色ごとの画像信号を取り出すことができるカラーテレビカメラ、ビデオカメラなどの撮像装置が知られている。
【０００３】
上記３つの固体撮像素子は、色分解プリズムに対してレジストレーション調整された後、色分解プリズムの出射端と固体撮像素子との隙間にスペーサを介在させて接着固定される。
【０００４】
また、従来、レジストレーション調整を行う場合には、図７に示すように縦横の格子状パターンと円形パターンとを有するレジストレーションチャートを撮影し、Ｒ用の固体撮像素子から得られるＲ画像と、Ｇ用の固体撮像素子から得られるＧ画像との差分画像を求め、この差分画像から前記格子状パターンと円形パターンとが消えるようにＧ用の固体撮像素子を基準にしてＲ用の固体撮像素子のレジストレーション調整を行い、同様にしてＧ用の固体撮像素子を基準にしてＢ用の固体撮像素子のレジストレーション調整を行うようにしている。
【０００５】
一方、図８に示すようにＧの固体撮像素子２０Ｇに対して、Ｒ、Ｂの固体撮像素子２０Ｒ（２０Ｂ）を、水平方向及び垂直方向にそれぞれ画素ピッチＰの１／２だけ画素ずらしして色分解プリズムに取り付けるようにしたカメラがある（特許文献１）。
【０００６】
尚、固体撮像素子２０Ｇに対してＲ、Ｂの固体撮像素子２０Ｒ（２０Ｂ）を画素ずらしすることにより、２倍以上の解像度が得られるようにしている。
【特許文献１】特開平６−２１７３３０号公報
【発明の開示】
【発明が解決しようとする課題】
【０００７】
ところで、図８に示したように固体撮像素子２０Ｇに対して固体撮像素子２０Ｒ、２０Ｂを斜め４５度の方向に画素ずらしする場合、図７に示したレジストレーションチャートでは、斜め方向の正確なレジストレーション調整・判断ができないという問題がある。
【０００８】
本発明はこのような事情に鑑みてなされたもので、Ｇ画素に対してＲ画素及びＢ画素を水平方向及び垂直方向にそれぞれ画素ピッチの１／２だけ画素ずらししてＲ、Ｇ、Ｂの３つの固体撮像素子をレジストレーション調整する際に、斜め方向のずれ量を正確に判定することができるレジストレーションチャート、及びそのレジストレーションチャートを使用した固体撮像素子の取付方法を提供することを目的とする。
【課題を解決するための手段】
【０００９】
前記目的を達成するために請求項１に係る発明は、撮影レンズからの被写体光を赤（Ｒ）、緑（Ｇ）、青（Ｂ）の波長域成分に分解する色分解プリズムのＲ、Ｇ、Ｂの色別の出射端にそれぞれＲ、Ｇ、Ｂ用の固体撮像素子を取り付ける方法であって、Ｇ用の固体撮像素子に対してＲ及びＢ用の固体撮像素子を水平方向及び垂直方向にそれぞれ１／２の画素ピッチだけ画素ずらしして取り付ける固体撮像素子の取付方法において、水平垂直に対して４５度傾斜した第１の線状パターンと、前記第１の線状パーンと直交し、前記画素ずらし量に対応した間隔だけ離間した２本の平行な第２の線状パターンとを有するレジストレーションチャートを使用し、前記レジストレーションチャートを撮影し、前記撮影時に前記Ｒ用の固体撮像素子から得られるＲの画像と、前記Ｇ用の固体撮像素子から得られるＧの画像と、前記Ｂ用の固体撮像素子から得られるＢの画像とに基づいて前記Ｇ用の固体撮像素子を基準にして前記Ｒ用の固体撮像素子及びＢ用の固体撮像素子のレジストレーション調整を行い、前記レジストレーション調整後に前記色分解プリズムのＲ、Ｇ、Ｂの色別の出射端にそれぞれＲ、Ｇ、Ｂ用の固体撮像素子を取り付けることを特徴としている。
【００１０】
このレジストレーション調整に使用するレジストレーションチャートは、水平垂直に対して４５度傾斜した第１の線状パターンと、前記第１の線状パーンと直交し、所定の画素ずらし量に対応した間隔だけ離間した２本の平行な第２の線状パターンとを有するものである。即ち、レジストレーションチャート上の線状パターンは、縦横の線状パターンではなく、斜め４５度に傾斜しており、一方の傾斜方向の線状パターン（第２の線状パターン）は、所定の画素ずらし量に対応した間隔だけ離間した２本の平行な線状パターンである。
【００１１】
上記レジストレーションチャートを撮影し、この撮影時に得られるＲ、Ｇ、Ｂの画像に基づいてＧ用の固体撮像素子を基準にしてＲ用の固体撮像素子及びＢ用の固体撮像素子のレジストレーション調整を行い、レジストレーション調整後に色分解プリズムのＲ、Ｇ、Ｂの色別の出射端にそれぞれＲ、Ｇ、Ｂ用の固体撮像素子を取り付けるようにしている。
【００１２】
請求項２に示すように請求項１に記載の固体撮像素子の取付方法において、前記レジストレーションチャートの第１の線状パターンは、黒色又は白色であり、前記第２の線状パターンの２本の平行な線状パターンはそれぞれ緑色とマゼンタ色であり、前記レジストレーション調整は、前記Ｒの画像と前記Ｇの画像との差分画像を求め、この差分画像から前記第１の線状パターン及び第２の線状パターンが同時に消えるように前記Ｇ用の固体撮像素子を基準にして前記Ｒ用の固体撮像素子のレジストレーション調整を行い、前記Ｂの画像と前記Ｇの画像との差分画像を求め、この差分画像から前記第１の線状パターン及び第２の線状パターンが同時に消えるように前記Ｇ用の固体撮像素子を基準にして前記Ｂ用の固体撮像素子のレジストレーション調整を行うことを特徴としている。
【００１３】
即ち、第１の線状パターンは、黒色又は白色の線状パターンであるため、それぞれＲ用の固体撮像素子、及びＧ用の固体撮像素子によって線状パターンとして撮影される。従って、Ｒの画像とＧの画像との差分画像から線状パターンが消えるようにレジストレーション調整を行うことで、Ｒの画像とＧの画像との一方の傾斜方向における画素ずれを調整することができる。
【００１４】
一方、第２の線状パターンは、緑色とマゼンタ色の２本の平行な線状パターンであるため、白背景の場合には、Ｇ用の固体撮像素子からはマゼンタ色の線状パターンのみが撮影されたＧの画像が得られる。また、Ｒ用の固体撮像素子からは、緑色の線状パターンのみが撮影されたＲの画像が得られる。尚、黒背景の場合には、前記撮影される線状パターンは逆になり、Ｇ用の固体撮像素子からは、緑色の線状パターンのみが撮影されたＧの画像が得られ、Ｒ用の固体撮像素子からは、マゼンタ色の線状パターンのみが撮影されたＲの画像が得られる。
【００１５】
そして、Ｒの画像とＧの画像との差分画像から緑色とマゼンタ色の２本の線状パターンが消えるようにレジストレーション調整を行うことで、Ｒの画像とＧの画像との他方の傾斜方向における画素ずらし量を調整することができる。同様にして、Ｂの画像とＧの画像との差分画像から線状パターンが消えるようにレジストレーション調整を行うことで、Ｇ用の固体撮像素子を基準にしてＢ用の固体撮像素子のレジストレーション調整を行うことができる。
【００１６】
請求項３に示すように請求項１に記載の固体撮像素子の取付方法において、前記レジストレーションチャートの第１の線状パターンは、黒色又は白色であり、前記第２の線状パターンの２本の平行な線状パターンはそれぞれ緑色とマゼンタ色であり、前記レジストレーション調整は、前記Ｒの画像と前記Ｇの画像と前記Ｂの画像とを加算し、このＲ、Ｇ、Ｂの加算画像上の前記第１の線状パターン及び第２の線状パターンが色づくことなく白色又は黒色となるように前記Ｇ用の固体撮像素子を基準にして前記Ｒ用の固体撮像素子及び前記Ｂ用の固体撮像素子のレジストレーション調整を行うことを特徴としている。
【００１７】
即ち、第１の線状パターンは、黒色又は白色であるため、Ｒ、Ｇ、Ｂの固体撮像素子が正確にレジストレーション調整されると、Ｒ、Ｇ、Ｂの加算画像上で色づくことなく黒色又は白色となる。また、第２の線状パターンは、緑色とマゼンタ色の２本の平行な線状パターンであるため、黒背景の場合には、Ｇ用の固体撮像素子からは、緑色の線状パターンのみが撮影され、Ｒ用及びＢ用の固体撮像素子からは、マゼンタ色の線状パターンのみが撮影される。従って、Ｒ、Ｇ、Ｂの固体撮像素子が正確にレジストレーション調整されると、Ｒ、Ｇ、Ｂの加算画像上で第２の線状パターンは色づくことなく白色（またはグレー）になる。尚、白背景の場合には、前記撮影される線状パターンは逆になり、Ｇ用の固体撮像素子からは、マゼンダ色の線状パターンのみが撮影され、Ｒ用及びＢ用の固体撮像素子からは、緑色の線状パターンのみが撮影される。
【００１８】
請求項４に係るレジストレーションチャートは、請求項１乃至３のいずれかに記載の固体撮像素子の取付方法に使用されるものである。
【００１９】
請求項５に示すように請求項４に記載のレジストレーションチャートにおいて、前記２本の平行な第２の線状パターンの画素ずらし量に対応した間隔は、前記固体撮像素子の水平方向及び垂直方向の画素ピッチをＰ，前記レジストレーションチャートの撮影時の像倍率をｍとすると、次式、
間隔＝√２・Ｐ／２ｍ
で表されることを特徴としている。
【００２０】
即ち、レジストレーションチャートにおける２本の線状パターンの間隔は、固体撮像素子の画素ピッチと、レジストレーションチャート撮影時の像倍率に応じて決定される間隔である。
【発明の効果】
【００２１】
本発明によれば、Ｇ画素に対してＲ画素及びＢ画素を水平方向及び垂直方向にそれぞれ画素ピッチの１／２だけ画素ずらししてＲ、Ｇ、Ｂの３つの固体撮像素子をレジストレーション調整する際に、斜め方向のずれ量を正確に判定することができ、斜め方向に画素ずれししたレジストレーション調整を正確に行うことができる。
【発明を実施するための最良の形態】
【００２２】
以下添付図面に従って本発明に係る固体撮像素子の取付方法及びレジストレーションチャートの好ましい実施の形態について詳説する。
【００２３】
図１は色分解プリズムに固体撮像素子を取り付けるための装置の一例を示す概略図である。
【００２４】
図１に示すように取付調整治具１０のベース板１１には、ブラケット１２が立設されており、このブラケット１２には、テレビレンズの前パネル１３、レンズマウント１４、色分解プリズム保持枠１５が一体となって保持され、レンズマウント１４には撮影レンズ１６が装着され、色分解プリズム保持枠１５内には取付板１７を介して色分解プリズム１８が取り付けられている。
【００２５】
色分解プリズム１８は、図３に示すように撮影レンズ１６を介して入射する被写体光をＲ成分、Ｇ成分、Ｂ成分に分解し、これらを３つの固体撮像素子２０（２０Ｒ，２０Ｇ，２０Ｂ）の各受光面に導くものであり、３つの固体撮像素子２０（２０Ｒ，２０Ｇ，２０Ｂ）は、レジストレーション調整後に色分解プリズム１８の各出射端に固定される。
【００２６】
即ち、３つの固体撮像素子２０は、取付調整治具１０のベース板１１上に移動自在に設けられた保持具２２によって調整可能に保持される（尚、図１では、説明の便宜上、１つの固体撮像素子２０のみを図示している）。３つの固体撮像素子２０は、コネクタ２４、フレキシブルプリント配線板２６を介して画像処理回路を含むコントローラ２８に電気的に接続される。コントローラ２８は、３つの固体撮像素子２０から入力するＲ，Ｇ，Ｂの画像信号に基づいて、Ｒ，Ｇ，Ｂの画像信号のうちのいずれか１つの画像信号、あるいはＲ，Ｇ，Ｂの画像信号のうちの任意の２つ又は３つの画像信号を合成した画像信号を生成してモニタ装置３０に出力する。
【００２７】
そして、レジストレーション調整用のレジストレーションチャート４０を撮影し、Ｒ，Ｇ，Ｂの画像信号に基づくＲ画像、Ｇ画像、Ｂ画像のピントがそれぞれ合うように３つの固体撮像素子２０の位置や角度を調整し、また、Ｒ，Ｇ，Ｂの３面の画像の色ずれ（画素ずれ）が生じないように、Ｇの固体撮像素子２０Ｇを基準にしてＲ，Ｂの固体撮像素子２０Ｒ，２０Ｂの位置や角度を調整する。
【００２８】
図２は固体撮像素子２０の調整方向及び角度を示しており、保持具２２によって保持された固体撮像素子２０は、図示しない６軸調整機によって３軸方向（Ｘ，Ｙ，Ｚ）の位置、及び３軸回りの角度（Ｒｘ，Ｒｙ，Ｒｚ）が調整される。
【００２９】
上記のようにしてレジストレーション調整を行った後に、色分解プリズム１８の出射端と固体撮像素子２０との隙間に、光硬化型接着剤が両面に塗布された上下一対のスペーサ３２を装填して色分解プリズム１０の出射端に固体撮像素子２０を固定する。
【００３０】
図３において、色分解プリズム１８は、第１のプリズム１８ａ，第２のプリズム１８ｂ、第３のプリズム１８ｃとから構成されており、第１のプリズム１８ａと第２のプリズム１８ｂとの間にはエアーギャップ１９が設けられ、第２のプリズム１８ｂと第３のプリズム１８ｃとは接触面で接合されている。
【００３１】
第１のプリズム１８ａ、第２のプリズム１８ｂ、及び第３のプリズム１８ｃの出射端には、それぞれスペーサ３２を介して固体撮像素子２０Ｂ、２０Ｒ、２０Ｇが接着される。
【００３２】
次に、レジストレーションチャート４０及びこのレジストレーションチャート４０を使用したレジストレーション調整について説明する。尚、Ｒ画像、Ｇ画像、Ｂ画像のピントがそれぞれ合うように３つの固体撮像素子２０Ｂ、２０Ｒ、２０Ｇの位置や角度は既に調整されているものとし、以下、Ｒ，Ｇ，Ｂの３面の画像の色ずれ（画素ずれ）が生じないように、Ｇの固体撮像素子２０Ｇを基準にして、Ｒ，Ｂの固体撮像素子２０Ｒ，２０Ｂの位置や角度を調整する場合について説明する。
【００３３】
まず、本発明に係る固体撮像素子の取付方法は、図８に示すようにＧの固体撮像素子２０Ｇに対して、Ｒ、Ｂの固体撮像素子２０Ｒ（２０Ｂ）を、水平方向及び垂直方向にそれぞれ画素ピッチＰの１／２だけ画素ずらしして色分解プリズム１８に固定する。
【００３４】
図４は本発明に係るレジストレーションチャートの正面図である。
【００３５】
このレジストレーションチャート４０は、水平垂直に対して４５度傾斜した黒色の線状パターン４２と、この線状パターン４２と直交するマゼンタ色の線状パターン４４Ｍと、緑色の線状パターン４４Ｇとが白地に形成されている。尚、レジストレーションチャート４０の地色を黒色とした場合には、前記線状パターン４２は白色とする。
【００３６】
前記２本の平行な線状パターン４４Ｍと線状パターン４４Ｇとの間隔は、Ｒ，Ｇ，Ｂの固体撮像素子２０Ｂ、２０Ｒ、２０Ｇの水平方向及び垂直方向の画素ピッチをＰ，レジストレーションチャート４０の撮影時の像倍率をｍとすると、次式、
［数１］
間隔＝√２・Ｐ／２ｍ
に示す関係となっている。即ち、画素ピッチＰは既知の値であるため、レジストレーションチャート４０の撮影時の像倍率を決めることで、線状パターン４４Ｍと線状パターン４４Ｇとの間隔が決定される。
【００３７】
次に、図１に示したようにレジストレーションチャート４０を像倍率ｍで撮影する。
【００３８】
図５（Ａ）及び（Ｂ）はレジストレーションチャート４０の撮影時にそれぞれ固体撮像素子２０Ｇ及び２０Ｒから得られたＧ，Ｒの画像信号に基づくＧ画像、及びＲ画像を示している。
【００３９】
図５（Ａ）に示すＧ画像には、黒色の線状パターン４２を示す線状パターン４２’と、マゼンタ色の線状パターン４４Ｍを示す線状パターン４４Ｍ’とが表示される。尚、白背景の場合には、同図（Ａ）に示すように緑色の線状パターン４４Ｇを示す線状パターン４４Ｇ’（点線で示す）は表示されない。これは、固体撮像素子２０Ｇでは、白背景の場合には、緑色よりも、緑色の補色のマゼンタ色の方がコントラストが高く撮影されるからである。
【００４０】
一方、図５（Ｂ）に示すＲ画像には、黒色の線状パターン４２を示す線状パターン４２’と、緑色の線状パターン４４Ｇを示す線状パターン４４Ｇ’とが表示される。尚、同図（Ｂ）に示すようにマゼンタ色の線状パターン４４Ｍを示す線状パターン４４Ｍ’（点線で示す）は表示されない。これは、固体撮像素子２０Ｒでは、白背景の場合には、マゼンタ色よりも、緑色の方がコントラストが高く撮影されるからである。
【００４１】
そして、コントローラ２８によりＧ画像からＲ画像を減算した差分画像を作成し、この差分画像をモニタ装置３０に出力する。尚、Ｇ画像とＲ画像との出力レベルは同一になるように調整され、または２値化処理して所定レベル以上の線状パターンのみが出力されるようにすることが好ましい。また、この場合の評価用のモニタ装置３０は、白黒モニタである。
【００４２】
図５（Ｃ）に示すようにモニタ装置３０に表示された差分画像を見ながら、差分画像から線状パターン４２’と、線状パターン４４Ｍ’、４４Ｇ’とが消えるようにレジストレーション調整を行う。
【００４３】
例えば、図６（Ａ）に示すようにＧ用の固体撮像素子２０Ｇに対してＲ用の固体撮像素子２０Ｒを水平方向に移動させ、画面上から線状パターン４２’が消えるようにレジストレーション調整を行う。即ち、差分画像上で線状パターン４２’が消えるようにレジストレーション調整を行うことにより、Ｇ画像上の線状パターン４２’とＲ画像上の線状パターン４２’とが一致するようになる。
【００４４】
続いて、図６（Ｂ）に示すようにＧ用の固体撮像素子２０Ｇに対してＲ用の固体撮像素子２０Ｒを斜め４５度の方向（図６上で左上方向）に移動させ、画面上から線状パターン４４Ｍ’、４４Ｇ’が消えるようにレジストレーション調整を行う。即ち、線状パターン４４Ｍ’、４４Ｇ’の間隔は、√２Ｐ／２ｍ（Ｐ：画素ピッチ）に対応しており、差分画像上で線状パターン４４Ｍ’、４４Ｇ’が消えるようにレジストレーション調整を行うことにより、Ｇ画像上の線状パターン４４Ｍ’とＲ画像上の線状パターン４４Ｇ’とが一致し、Ｇ用の固体撮像素子２０Ｇに対してＲ用の固体撮像素子２０Ｒは、水平方向及び垂直方向にそれぞれ１／２の画素ピッチＰだけ画素ずらしされることになる。
【００４５】
上記と同様にして、Ｇ用の固体撮像素子２０Ｇと、Ｂ用の固体撮像素子２０Ｂとのレジストレーション調整を行う。Ｂ用の固体撮像素子２０Ｂでは、Ｇ用の固体撮像素子２０Ｇと同様に、図５（Ｂ）に示すように黒色の線状パターン４２を示す線状パターン４２’と、緑色の線状パターン４４Ｇを示す線状パターン４４Ｇ’とが撮影される。
【００４６】
尚、この実施の形態では、差分画像から全ての線状パターンが消えるようにレジストレーション調整を行うようにしたが、これに限らず、Ｒ、Ｇ、Ｂ画像を加算し、その加算画像上で、Ｒ、Ｇ、Ｂ画像の各線状パターンが一致するように（即ち、線状パターンが色づくことなく白色又は黒色になるように）レジストレーション調整を行うようにしてもよい。この場合の評価用のモニタ装置は、カラーモニタであり、Ｒ、Ｇ、Ｂ画像の加算は、カラーモニタに対してＲＧＢ入力信号としてそれぞれ与えることにより、カラーモニタ内で加算が行われることになる。
【００４７】
更に、この実施の形態では、第２の線状パターンとして緑色とマゼンタ色の２本の線状パターンとしたが、これに限らず、白背景に黒色の２本の線状パターン、又は黒背景に白色の２本の線状パターンとしてもよい。この場合、Ｇ画像とＲ画像との差分画像、又はＧ画像とＢ画像との差分画像において、互いの内側の線状パターンが消えたとき（４本の線状パターンが２本になったとき）がレジストレーション調整された状態である。
【００４８】
また、レジストレーションチャートは、図４に示したものに限らず、従来の図７に示した線状パターンを含んでいてもよい。
【図面の簡単な説明】
【００４９】
【図１】図１は色分解プリズムに固体撮像素子を取り付けるための装置の一例を示す概略図である。
【図２】図２は固体撮像素子の調整方向及び角度を説明するために用いた固体撮像素子の斜視図である。
【図３】図３は固体撮像素子の取付構造を示す平面図である。
【図４】図４はレジストレーションチャートの一例を示す平面図である。
【図５】図５は本発明に係るレジストレーション調整を説明するために用いたレジストレーションチャートの撮影画像等を示す図である。
【図６】図６は本発明に係るレジストレーション調整の一例を説明するために用いた図である。
【図７】図７は従来のレジストレーションチャートの一例を示す図である。
【図８】図８はＧの固体撮像素子に対してＲ、Ｂの固体撮像素子を水平方向及び垂直方向にそれぞれ画素ピッチＰの１／２だけ画素ずらしした状態を示す図である。
【符号の説明】
【００５０】
１０…取付調整治具、１８…色分解プリズム、２０、２０Ｒ、２０Ｇ、２０Ｂ…固体撮像素子、３２…スペーサ、４０…レジストレーションチャート、４２、４４Ｇ、４４Ｍ…線状パターン
【図１】
2007096693.tif 000003
【図２】
2007096693.tif 000004
【図３】
2007096693.tif 000005
【図４】
2007096693.tif 000006
【図５】
2007096693.tif 000007
【図６】
2007096693.tif 000008
【図７】
2007096693.tif 000009
【図８】
2007096693.tif 000010